(57)【要約】【課題】バランスウェイトがエレベータ用かごの中心から可能な限り遠方に配置されるとともにバランスウェイトの積載数量の大小に拘らずエレベータ用かごの中心からの距離が維持されるエレベータ用かごを得る。【解決手段】エレベータ用かごは、巻上ロープで吊り下げられるときの左右および前後方向の傾きが補正されるエレベータ用かごにおいて、かご枠の４隅に溝が上下方向に向くように配設されるバランスウェイト枠と、重心がかご床の中心に重なるように上記バランスウェイト枠内にそれぞれ必要な数量だけ積み重ねられるバランスウェイトと、を備える。【選択図】図１
2011153013.tif 000002
【特許請求の範囲】
【請求項１】
巻上ロープで吊り下げられるときの左右および前後方向の傾きが補正されるエレベータ用かごにおいて、
４隅に溝が上下方向に向くように配設されるバランスウェイト枠と、
重心がかご床の中心に重なるように上記バランスウェイト枠内にそれぞれ必要な数量だけ積み重ねられるバランスウェイトと、
を備えることを特徴とするエレベータ用かご。
【請求項２】
上記バランスウェイト枠の長さは、かご室の全高以上であること特徴とする請求項１に記載のエレベータ用かご。
【発明の詳細な説明】
【技術分野】
【０００１】
この発明は、エレベータ用かごに関し、特に、バランスウェイトの調整構造を改良したエレベータ用かごに関する。
【背景技術】
【０００２】
巻上ロープで吊り下げられるエレベータ用かごの左右方向と前後方向の傾きを補正するために、複数個のバランスウェイトがかご枠下部に位置が調整された後、固定されている。
そのバランスウェイトの例として、かご底部にバランスウェイト枠が水平に設けられ、内側には、複数のバランスウェイトが挿入され固定されている。
また、他の例として、かご床の下部の中間部に揺動部を設け、この揺動部に片側が係止され、他側にバランスウェイトが取り付けられる揺動腕を設けている（例えば、特許文献１参照）。
【先行技術文献】
【特許文献】
【０００３】
【特許文献１】特開平６−８０３５８号公報
【発明の概要】
【発明が解決しようとする課題】
【０００４】
しかし、上記の従来構造は、複数のバランスウェイトを水平に配置しているので、バランス調整量が大きい場合、バランスウェイトの個数が増え、バランスウェイトの重心位置がエレベータ用かごの中心に近づき、左右、前後のバランス調整の効率が悪くなる。
また、エレベータ用かごのかご床の下の機器配置の制限（例えば、緩衝器、コンペンチェーン、制御ケーブルなど）により、配置できるバランスウェイトの位置や個数やサイズに制約があり、バランス調整量が制限される。
【０００５】
この発明は、前記のような課題を解決するためになされたものであり、バランスウェイトがエレベータ用かごの中心から可能な限り遠方に配置されるとともにバランスウェイトの積載数量の大小に拘らずエレベータ用かごの中心からの距離が維持されるエレベータ用かごを得ることを目的とする。
【課題を解決するための手段】
【０００６】
この発明に係るエレベータ用かごは、巻上ロープで吊り下げられるときの左右および前後方向の傾きが補正されるエレベータ用かごにおいて、かご枠の４隅に溝が上下方向に向くように配設されるバランスウェイト枠と、重心がかご床の中心に重なるように上記バランスウェイト枠内にそれぞれ必要な数量だけ積み重ねられるバランスウェイトと、を備える。
【発明の効果】
【０００７】
この発明に係るエレベータ用かごは、バランスウェイト枠がかご枠の４隅に溝が上下方向に向くように配設されているので、エレベータ用かごの中心から遠い距離にバランスウェイトを積載できるし、バランスウェイトの積載数量が増えた場合にも、エレベータ用かごの中心からのバランスウェイトまでの距離は維持されるので、従来技術に比べ高いバランス調整能力を発揮するという効果を奏する。
【図面の簡単な説明】
【０００８】
【図１】この発明の実施の形態１に係るエレベータ用かごの平面図である。
【図２】この発明の実施の形態１に係るエレベータ用かごの側面図である。
【図３】この発明の実施の形態２に係るエレベータ用かごの平面図である。
【図４】この発明の実施の形態２に係るエレベータ用かごの側面図である。
【発明を実施するための形態】
【０００９】
以下、本発明のエレベータ用かごの好適な実施の形態につき図面を用いて説明する。
実施の形態１．
図１は、この発明の実施の形態１に係るエレベータ用かごの平面図である。図２は、この発明の実施の形態１に係るエレベータ用かごの側面図である。
この発明の実施の形態１に係るエレベータ用かごは、図１および図２に示すように、強度部材で四角に構成したかご上枠１、かご上枠１に固定された縦柱２、かご室３、かご床４、かご床４を支持するななめ控え８ａ〜８ｄ、４隅に垂直に配置されたバランスウェイト枠５ａ〜５ｄ、およびバランスウェイト枠５ａ〜５ｄ内に積み重ねられるバランスウェイト６から構成されている。
【００１０】
バランスウェイト枠５ａ〜５ｄは、リップ溝形鋼であり、ウェップ側の上端がかご上枠１に固定され、下端がかご床４に固定されている。
バランスウェイト６は、バランスウェイト枠５ａ〜５ｄのリップ溝の内寸より僅かに小さい立方体であり、エレベータ用かごの左右方向および前後方向の傾きを補正するために必要な個数のバランスウェイト６をバランスウェイト枠５ａ〜５ｄのリップ溝内に積み重ねる。バランスウェイト枠５ａ〜５ｄのリップ溝の内寸はフランジ側が薄い。
【００１１】
このように、バランスウェイト枠５ａ〜５ｄがかご枠の全高に亘り構成されているため、平面面積が小さくても、従来と同様のオモリ質量を積載できる。
また、平面面積が小さいので、従来と同等の昇降路寸法で、バランスウェイト枠５ａ〜５ｄを配置することができる。
【００１２】
この発明の実施の形態１に係るバランスウェイト６の作用について述べる。
この発明の実施の形態１に係るエレベータ用かごは巻上機にロープを介して吊り下げられている。かご枠機器の質量のアンバランスによるかご枠の傾きを修正する時、バランスウェイト６をバランスウェイト枠５ａ〜５ｄへ積載する。例えば、前側に傾いている場合は、後ろ側のバランスウェイト枠５ｃ、５ｄへバランスウェイト６を積載する。右側に傾いている場合は、左側のバランスウェイト枠５ｂ、５ｄへバランスウェイト６を積載する。このように適切なバランスウェイト６の個数を調整することにより、かご枠の前後左右の傾きが修正される。
【００１３】
実施の形態２．
図３は、この発明の実施の形態２に係るエレベータ用かごの平面図である。図４は、この発明の実施の形態２に係るエレベータ用かごの側面図である。
この発明の実施の形態２に係るエレベータ用かごは、図３および図４に示すように、レール芯に配置される一本のかご上枠７、かご上枠７に固定された縦柱２、複数のパネル９により構成されるかご室３、かご床４、縦柱２に一端が固定されかご床４を支持する斜め控え８ａ〜８ｄ、４隅に垂直に配置されたバランスウェイト枠５ａ〜５ｄ、およびバランスウェイト枠５ａ〜５ｄ内に積み重ねられるバランスウェイト６から構成されている。
【００１４】
バランスウェイト枠５ａ〜５ｄは、リップ溝形鋼であり、取付金１０によりパネル９に固定されている。
バランスウェイト６は、バランスウェイト枠５ａ〜５ｄのリップ溝の内寸より僅かに小さい立方体であり、エレベータ用かごの左右方向および前後方向の傾きを補正するために必要な個数のバランスウェイト６をバランスウェイト枠５ａ〜５ｄのリップ溝内に積み重ねる。バランスウェイト枠５ａ〜５ｄのリップ溝の内寸はフランジ側が薄い。
【００１５】
このように、バランスウェイト枠５ａ〜５ｄがかご枠の全高に亘り構成されているため、平面面積が小さくても、従来と同様のオモリ質量を積載できる。
また、平面面積が小さいので、従来と同等の昇降路寸法で、バランスウェイト枠５ａ〜５ｄを配置することができる。
【００１６】
この発明の実施の形態２に係るバランスウェイト６の作用について述べる。
この発明の実施の形態２に係るエレベータ用かごは巻上機にロープを介して吊り下げられている。かご枠機器の質量のアンバランスによるかご枠の傾きを修正する時、バランスウェイト６をバランスウェイト枠５ａ〜５ｄへ積載する。例えば、前側に傾いている場合は、後ろ側のバランスウェイト枠５ｃ、５ｄへバランスウェイト６を積載する。右側に傾いている場合は、左側のバランスウェイト枠５ｂ、５ｄへバランスウェイト６を積載する。このように適切なバランスウェイト６の個数を調整することにより、かご枠の前後左右の傾きが修正される。
なお、上述の実施の形態１および２では、バランスウェイト枠５ａ〜５ｄは、エレベータ用かごの側面に配置しているが、後側のバランスウェイト枠５ｃ〜５ｄは、エレベータ用かごの背面の間口方向の両端に配置しても同様の効果が得られる。
【００１７】
この発明の実施の形態１および２に係るエレベータ用かごは、バランスウェイト枠５ａ〜５ｄがかご枠の四隅に垂直に配置されているので、エレベータ用かごの中心から遠い距離にバランスウェイト６を積載できる。
また、バランスウェイト６の積載数量が増えた場合にも、エレベータ用かごの中心からのバランスウェイト６までの距離は維持されるので、従来技術に比べ高いバランス調整能力を発揮する。
また、バランスウェイト枠５ａ〜５ｄが、エレベータ用かごの全高に亘り構成されているので、従来と同等のバランスウェイト６を積載しても、平面面積は小さくできるので、昇降路平面寸法への影響がない。
【符号の説明】
【００１８】
１、７  上枠、２  縦柱、３  かご室、４  かご床、５ａ、５ｂ、５ｃ、５ｄ  バランスウェイト枠、６  バランスウェイト、８ａ、８ｂ、８ｃ、８ｄ  斜め控え、９  パネル、１０  取付金。
【図１】
2011153013.tif 000003
【図２】
2011153013.tif 000004
【図３】
2011153013.tif 000005
【図４】
2011153013.tif 000006